(57)【特許請求の範囲】
【請求項１】
屋外から屋内に空気を供給することが可能な換気システムであって、
屋外から空気を導入するための空気入口（２１ａ）と屋内に空気を供給するための給気口（２６ａ）とを有し、屋外と屋内とを接続する給気ダクト（２）と、
前記給気ダクトの分岐部に接続され、前記給気ダクト内の空気を屋外に導出するための空気出口（３５ａ）を有する浄化用ダクト（８）と、
前記給気ダクト及び前記浄化用ダクトの少なくとも一方に設けられた１以上の送風機（５ｃ、６ｃ、５０６）とを備え、
前記給気ダクトを介して屋外から屋内に空気を供給しつつ前記給気ダクトから前記浄化用ダクトへの空気の流れを遮断する給気状態と、前記浄化用ダクトを介して前記給気ダクトから屋外に空気を導出しつつ前記給気ダクトから屋内への空気の流れを遮断するダクト浄化状態との切換が可能であり、
前記給気状態にして前記給気ダクトを介して屋外から屋内に空気を供給する運転に先だって、前記ダクト浄化状態にして屋外から給気ダクトに導入される空気を、屋内に供給せずに、前記送風機を停止している際に前記給気ダクト内に滞留した空気とともに、前記浄化用ダクトを介して屋外に導出するダクト浄化運転を行う、
換気システム（１、１０１、２０１、３０１、４０１、５０１）。
【請求項２】
前記給気ダクト（２）の前記空気入口（２１ａ）から前記分岐部までの間には、その一部が曲げられた曲がり部（２２ａ）が形成されており、
前記曲がり部及びその近傍には、内部を流れる空気を浄化する光触媒を含む第１浄化層（２２ｂ）が設けられている、
請求項１に記載の換気システム（１、１０１、２０１、３０１、４０１、５０１）。
【請求項３】
前記給気ダクト（２）の前記分岐部から前記給気口（２６ａ）までの間には、その内部を流れる空気を浄化する光触媒を含むフィルタ（２４ａ）及び第２浄化層（２５ｂ）の少なくとも一方が設けられている、請求項１又は２に記載の換気システム（１、１０１、２０１、３０１、４０１、５０１）。
【請求項４】
前記浄化用ダクト（８）は、屋内から空気を排出するための排気口（３１ａ）と前記空気出口（３５ａ）とを有し屋内と屋外とを接続する排気ダクト（３）と、前記排気ダクトに合流する合流部を有し前記分岐部に接続されたバイパスダクト（４）とを有している、請求項１〜３のいずれかに記載の換気システム（１、１０１、２０１、４０１）。
【請求項５】
屋外から屋内に空気を供給する機能を有する空気調和システムであって、
屋外から空気を導入するための空気入口（２１ａ）と屋内に空気を供給するための給気口（２６ａ）とを有し、屋外と屋内とを接続する給気ダクト（２）と、
前記給気ダクトの分岐部に接続され、前記給気ダクト内の空気を屋外に導出するための空気出口（３５ａ）を有する浄化用ダクト（８）と、
前記給気ダクトに設けられ、屋外からの空気を吸入して冷却又は加熱することが可能な空気調和装置（６、２０６）とを備え、
前記給気ダクトを介して屋外から屋内に空気を供給しつつ前記給気ダクトから前記浄化用ダクトへの空気の流れを遮断する給気状態と、前記浄化用ダクトを介して前記給気ダクトから屋外に空気を排出しつつ前記給気ダクトから屋内への空気の流れを遮断するダクト浄化状態との切換が可能であり、
前記給気状態にして前記給気ダクトを介して屋外から屋内に空気を供給する運転に先だって、前記ダクト浄化状態にして屋外から給気ダクトに導入される空気を、屋内に供給せずに、前記空気調和装置を停止している際に前記給気ダクト内に滞留した空気とともに、前記浄化用ダクトを介して屋外に導出するダクト浄化運転を行う、
空気調和システム（１、１０１、２０１、３０１）。
【請求項６】
前記空気調和装置（６）は、前記給気ダクト（２）の前記空気入口（２１ａ）から前記分岐部までの間に設けられている、請求項５に記載の空気調和システム（１、３０１）。
【請求項７】
前記給気ダクト（２）の前記空気入口（２１ａ）から前記分岐部までの間には、その一部が曲げられた曲がり部（２２ａ）が形成されており、
前記曲がり部及びその近傍には、内部を流れる空気を浄化する光触媒を含む第１浄化層（２２ｂ）が設けられている、
請求項５又は６に記載の空気調和システム（１、１０１、２０１、３０１）。
【請求項８】
前記給気ダクト（２）の前記分岐部から前記給気口（２６ａ）までの間には、その内部を流れる空気を浄化する光触媒を含むフィルタ（２４ａ）及び第２浄化層（２５ｂ）の少なくとも一方が設けられている、請求項５〜７のいずれかに記載の空気調和システム（１、１０１、２０１、３０１）。
【請求項９】
前記浄化用ダクト（８）は、屋内から空気を排出するための排気口（３１ａ）と前記空気出口（３５ａ）とを有し屋内と屋外とを接続する排気ダクト（３）と、前記排気ダクトに合流する合流部を有し前記分岐部に接続されたバイパスダクト（４）とを有している、請求項５〜８のいずれかに記載の空気調和システム（１、１０１、２０１）。
【請求項１０】
前記給気ダクト（２）を介して屋外からの空気を吸入するとともに、前記排気ダクト（３）を介して屋内から空気を吸入し、屋外からの空気と屋内からの空気とを熱交換させた後、熱交換された屋外からの空気を前記給気ダクトを介して屋内に供給するとともに熱交換された屋内からの空気を前記排気ダクトを介して屋外に導出することが可能な全熱交換装置（５）をさらに備えている、請求項９に記載の空気調和システム（１、１０１、２０１）。
【発明の詳細な説明】
【技術分野】
【０００１】
本発明は、換気システム、特に、屋外から屋内に空気を供給することが可能な換気システムに関する。また、本発明は、空気調和システム、特に、屋外から屋内に空気を供給する機能を有する空気調和システムに関する。
【背景技術】
【０００２】
従来の屋外から屋内に空気を供給することが可能な換気システムでは、屋外から屋内に空気を供給する換気運転を行うことが可能である。また、屋外から屋内に空気を供給する機能を有する空気調和システムでは、屋外から屋内に空気を供給する換気運転を行いつつ空調運転を行うが可能である。しかし、このような換気システム及び空気調和システムでは、換気運転の際に、屋外と屋内とを接続する給気ダクトを介して、屋外の空気中に含まれる臭い成分、カビや菌等が屋内に流入することがある。
【０００３】
これに対して、給気ダクトの内壁を光触媒層で覆うことによって、屋外から流入する空気中に含まれる臭い成分、カビや菌等を光触媒層に接触させて分解除去するようにした換気機能を有する空気調和システムが提案されている（例えば、特許文献１参照。）。
【０００４】
しかし、この空気調和システムでは、換気運転又は換気運転を伴う空調運転を停止している際には、給気ダクト内に空気が滞留した状態になっているため、臭い成分が蓄積したり、カビや菌が増殖することがある。そして、給気ダクト内において、このような臭い成分が蓄積しカビや菌が増殖した状態で、換気運転又は換気運転を伴う空調運転を開始すると、これらの運転の開始直後に、屋外からの空気とともに給気ダクト内に滞留した空気中に含まれる大量の臭い成分、カビや菌が屋内に流入し、例えば、臭いによる不快感を与えたり、人体に有害なカビや菌等が流入するという問題が生じる。
【特許文献１】特開２０００−２２０８６０号公報
【発明の開示】
【発明が解決しようとする課題】
【０００５】
本発明の課題は、屋外から屋内に空気を供給することが可能な換気システム及び屋外から屋内に空気を供給する機能を有する空気調和システムにおいて、換気運転又は空調運転の開始直後に、屋外からの空気とともに給気ダクト内に滞留した空気中に含まれる臭い成分、カビや菌等が屋内に流入しないようにすることにある。
【課題を解決するための手段】
【０００６】
請求項１に記載の換気システムは、屋外から屋内に空気を供給することが可能な換気システムであって、給気ダクトと、浄化用ダクトと、１以上の送風機とを備えている。給気ダクトは、屋外から空気を導入するための空気入口と屋内に空気を供給するための給気口とを有し、屋外と屋内とを接続している。浄化用ダクトは、給気ダクトの分岐部に接続され、給気ダクト内の空気を屋外に導出するための空気出口を有している。送風機は、給気ダクト及び浄化用ダクトの少なくとも一方に設けられている。そして、この換気システムは、給気ダクトを介して屋外から屋内に空気を供給しつつ給気ダクトから浄化用ダクトへの空気の流れを遮断する給気状態と、浄化用ダクトを介して給気ダクトから屋外に空気を導出しつつ給気ダクトから屋内への空気の流れを遮断するダクト浄化状態との切換が可能である。そして、この換気システムでは、給気状態にして給気ダクトを介して屋外から屋内に空気を供給する運転に先だって、ダクト浄化状態にして屋外から給気ダクトに導入される空気を、屋内に供給せずに、送風機を停止している際に給気ダクト内に滞留した空気とともに、浄化用ダクトを介して屋外に導出するダクト浄化運転を行う。
【０００７】
この換気システムでは、以下のような手順により、換気運転を行うことができる。まず、ダクト浄化状態にして、送風機を運転すると、屋外から給気ダクトに導入された空気は、屋内には供給されずに浄化用ダクトを介して屋外に導出される（以下、ダクト浄化運転とする）。ここで、屋外から給気ダクト内に導入される空気とともに、送風機を停止している際に給気ダクト内に滞留した空気が屋外に導出される。次に、給気状態にすると、屋外から給気ダクトに導入された空気は、給気ダクトから浄化用ダクトへの空気の流れが遮断されて、給気ダクトを介して屋内に供給される。ここで、送風機を停止している際に給気ダクト内に滞留した空気は、既に屋外に導出されているため、屋内には、給気状態に切換えた後に屋外から給気ダクトに導入された空気のみが供給される。
【０００８】
このように、この換気システムでは、給気ダクトを介して屋外の空気を屋内に供給する換気運転を行うのに先だって、ダクト浄化運転を行うことによって、送風機を停止している際に給気ダクト内に滞留した空気中に含まれる臭い成分、カビや菌等を給気ダクト内から屋外に排出することができるため、換気運転の開始直後に、屋外からの空気とともに、送風機を停止している際に給気ダクト内に滞留した空気中に含まれる臭い成分、カビや菌等が屋内に流入しないようにすることができる。
【０００９】
請求項２に記載の換気システムは、請求項１において、給気ダクトの空気入口から分岐部までの間には、その一部が曲げられた曲がり部が形成されている。曲がり部及びその近傍には、内部を流れる空気を浄化する光触媒を含む第１浄化層が設けられている。
【００１０】
この換気システムでは、給気ダクトに空気を浄化する光触媒を含む第１浄化層が設けられているため、換気運転を行う際に、給気ダクトを介して屋外から導入された空気中に含まれる臭い成分、カビや菌等を分解除去して、臭い成分、カビや菌等が屋内に流入しないようにすることができる。また、第１浄化層は、給気ダクトの空気入口から分岐部までの間に設けられているため、ダクト浄化運転の際においても、送風機を停止している際に給気ダクト内に滞留した空気中に含まれる臭い成分、カビや菌等を分解除去するのに寄与できる。しかも、第１浄化層は、空気流とダクトの壁面との接触頻度が高い給気ダクトの曲がり部及びその近傍に設けられているため、換気運転の際及びダクト浄化運転の際のいずれにおいても、給気ダクト内を流れる空気中に含まれる臭い成分、カビや菌等を効率よく分解除去することができる。
【００１１】
請求項３に記載の換気システムは、請求項１又は２において、給気ダクトの分岐部から給気口までの間には、その内部を流れる空気を浄化する光触媒を含むフィルタ及び第２浄化層の少なくとも一方が設けられている。
【００１２】
この換気システムでは、給気ダクトの分岐部から給気口までの間に、空気を浄化する光触媒を含むフィルタ及び第２浄化層の少なくとも一方が設けられているため、換気運転を行う際に、給気ダクトを介して屋外から導入された空気中に含まれる臭い成分、カビや菌等を分解除去して、臭い成分、カビや菌等が屋内に流入しないようにすることができる。
【００１３】
請求項４に記載の換気システムは、請求項１〜３のいずれかにおいて、浄化用ダクトは、排気ダクトと、バイパスダクトとを有している。排気ダクトは、屋内から空気を排出するための排気口と空気出口とを有し、屋内と屋外とを接続している。バイパスダクトは、排気ダクトに合流する合流部を有し、分岐部に接続されている。
【００１４】
給気ダクトを介して屋外からの空気を屋内に供給するだけでなく、排気ダクトを介して屋内からの空気を屋外に排出することができる換気システムでは、給気ダクトと排気ダクトとを接続するバイパスダクトを設けることによって、ダクト浄化運転を行うことができるようになるため、換気運転の開始直後に、屋外からの空気とともに、送風機を停止している際に給気ダクト内に滞留した空気中に含まれる臭い成分、カビや菌等が屋内に流入しないようにすることができる。
【００１５】
請求項５に記載の空気調和システムは、給気ダクトと、浄化用ダクトと、空気調和装置とを備えている。給気ダクトは、屋外から空気を導入するための空気入口と屋内に空気を供給するための給気口とを有し、屋外と屋内とを接続している。浄化用ダクトは、給気ダクトの分岐部に接続され、給気ダクト内の空気を屋外に導出するための空気出口を有している。空気調和装置は、給気ダクトに設けられ、屋外からの空気を吸入して冷却又は加熱することが可能である。そして、この空気調和システムは、給気ダクトを介して屋外から屋内に空気を供給しつつ給気ダクトから浄化用ダクトへの空気の流れを遮断する給気状態と、浄化用ダクトを介して給気ダクトから屋外に空気を導出しつつ給気ダクトから屋内への空気の流れを遮断するダクト浄化状態との切換が可能である。そして、この空気調和システムでは、給気状態にして給気ダクトを介して屋外から屋内に空気を供給する運転に先だって、ダクト浄化状態にして屋外から給気ダクトに導入される空気を、屋内に供給せずに、空気調和装置を停止している際に給気ダクト内に滞留した空気とともに、浄化用ダクトを介して屋外に導出するダクト浄化運転を行う。
【００１６】
この空気調和システムでは、以下のような手順により、換気運転を伴う空調運転を行うことができる。まず、ダクト浄化状態にして、空気調和装置を運転すると、屋外から給気ダクトに導入された空気は、屋内には供給されずに浄化用ダクトを介して屋外に導出される（以下、ダクト浄化運転とする）。ここで、屋外から給気ダクト内に導入される空気とともに、空気調和装置を停止している際に給気ダクト内に滞留した空気が屋外に導出される。次に、給気状態にすると、屋外から給気ダクトに導入された空気は、給気ダクトから浄化用ダクトへの空気の流れが遮断されて、空気調和装置において冷却又は加熱された後、給気ダクトを介して屋内に供給される。ここで、空気調和装置を停止している際に給気ダクト内に滞留した空気は、既に屋外に導出されているため、屋内には、給気状態に切換えた後に屋外から給気ダクトに導入された空気のみが供給される。
【００１７】
このように、この空気調和システムでは、給気ダクトを介して屋外の空気を屋内に供給する運転を行いつつ空調運転を行うのに先だって、ダクト浄化運転を行うことによって、空気調和装置を停止している際に給気ダクト内に滞留した空気中に含まれる臭い成分、カビや菌等を給気ダクト内から屋外に排出することができるため、空調運転の開始直後に、屋外からの空気とともに、空気調和装置を停止している際に給気ダクト内に滞留した空気中に含まれる臭い成分、カビや菌等が屋内に流入しないようにすることができる。
【００１８】
請求項６に記載の空気調和システムは、請求項５において、空気調和装置は、給気ダクトの空気入口から分岐部までの間に設けられている。
【００１９】
この空気調和システムでは、空気調和装置が給気ダクトの空気入口から分岐部までの間に設けられているため、ダクト浄化運転の際に、空気調和装置を停止している際に給気ダクト内に滞留した空気を屋外に導出するだけでなく、空気調和装置内に滞留した空気も屋外に導出することができる。これにより、空気調和装置を停止している際に給気ダクト内に滞留した空気中に含まれる臭い成分、カビや菌等だけでなく、空気調和装置内に滞留した空気中に含まれる臭い成分、カビや菌等を屋外に排出することができる。
【００２０】
請求項７に記載の空気調和システムは、請求項５又は６において、給気ダクトの空気入口から分岐部までの間には、その一部が曲げられた曲がり部が形成されている。曲がり部及びその近傍には、内部を流れる空気を浄化する光触媒を含む第１浄化層が設けられている。
【００２１】
この空気調和システムでは、給気ダクトに空気を浄化する光触媒を含む第１浄化層が設けられているため、換気運転を伴う空調運転を行う際に、給気ダクトを介して屋外から導入された空気中に含まれる臭い成分、カビや菌等を分解除去して、臭い成分、カビや菌等が屋内に流入しないようにすることができる。また、第１浄化層は、給気ダクトの空気入口から分岐部までの間に設けられているため、ダクト浄化運転の際においても、空気調和装置を停止している際に給気ダクト内に滞留した空気中に含まれる臭い成分、カビや菌等を分解除去するのに寄与できる。しかも、第１浄化層は、空気流とダクトの壁面との接触頻度が高い給気ダクトの曲がり部及びその近傍に設けられているため、換気運転を伴う空調運転の際及びダクト浄化運転の際のいずれにおいても、給気ダクト内を流れる空気中に含まれる臭い成分、カビや菌等を効率よく分解除去することができる。
【００２２】
請求項８に記載の空気調和システムは、請求項５〜７のいずれかにおいて、給気ダクトの分岐部から給気口までの間には、その内部を流れる空気を浄化する光触媒を含むフィルタ及び第２浄化層の少なくとも一方が設けられている。
【００２３】
この空気調和システムでは、給気ダクトの分岐部から給気口までの間に、空気を浄化する光触媒を含むフィルタ及び第２浄化層の少なくとも一方が設けられているため、換気運転を伴う空調運転を行う際に、給気ダクトを介して屋外から導入された空気中に含まれる臭い成分、カビや菌等を分解除去して、臭い成分、カビや菌等が屋内に流入しないようにすることができる。
【００２４】
請求項９に記載の空気調和システムは、請求項５〜８のいずれかにおいて、浄化用ダクトは、排気ダクトと、バイパスダクトとを有している。排気ダクトは、屋内から空気を排出するための排気口と空気出口とを有し、屋内と屋外とを接続している。バイパスダクトは、排気ダクトに合流する合流部を有し、分岐部に接続されている。
【００２５】
給気ダクトを介して屋外からの空気を屋内に供給するだけでなく、排気ダクトを介して屋内からの空気を屋外に排出する換気運転を行うことができる空気調和システムでは、給気ダクトと排気ダクトとを接続するバイパスダクトを設けることによって、ダクト浄化運転を行うことができるようになるため、換気運転を伴う空調運転の開始直後に、屋外からの空気とともに、空気調和装置を停止している際に給気ダクト内に滞留した空気中に含まれる臭い成分、カビや菌等が屋内に流入しないようにすることができる。
【００２６】
請求項１０に記載の空気調和システムは、請求項９において、給気ダクトを介して屋外から空気を吸入するとともに、排気ダクトを介して屋内から空気を吸入し、屋外からの空気と屋内からの空気とを熱交換させた後、熱交換された屋外からの空気を前記給気ダクトを介して屋内に供給するとともに熱交換された屋内からの空気を前記排気ダクトを介して屋外に導出することが可能な全熱交換装置をさらに備えている。
【００２７】
この空気調和システムでは、給気ダクト内を流れる空気と排気ダクト内を流れる空気とを熱交換させることが可能な全熱交換装置を備えているため、ダクト浄化運転の際に、全熱交換装置を停止している際に給気ダクト内に滞留した空気を屋外に導出するだけでなく、全熱交換装置内に滞留した空気も屋外に導出することができる。これにより、全熱交換装置を停止している際に給気ダクト内に滞留した空気中に含まれる臭い成分、カビや菌等だけでなく、全熱交換装置内に滞留した空気中に含まれる臭い成分、カビや菌等を屋外に排出することができる。
【発明の効果】
【００２８】
以上の説明に述べたように、本発明によれば、以下の効果が得られる。
【００２９】
請求項１にかかる発明では、給気ダクトを介して屋外の空気を屋内に供給する換気運転を行うのに先だって、ダクト浄化運転を行うことによって、換気運転の開始直後に、屋外からの空気とともに、送風機を停止している際に給気ダクト内に滞留した空気中に含まれる臭い成分、カビや菌等が屋内に流入しないようにすることができる。
【００３０】
請求項２にかかる発明では、換気運転の際及びダクト浄化運転の際のいずれにおいても、給気ダクト内を流れる空気中に含まれる臭い成分、カビや菌等を効率よく分解除去することができる。
【００３１】
請求項３にかかる発明では、給気ダクトの分岐部から給気口までの間に、空気を浄化する光触媒を含むフィルタ及び第２浄化層の少なくとも一方が設けられているため、換気運転を行う際に、給気ダクトを介して屋外から導入された空気中に含まれる臭い成分、カビや菌等を分解除去することができる。
【００３２】
請求項４にかかる発明では、給気ダクトを介して屋外からの空気を屋内に供給するだけでなく、排気ダクトを介して屋内からの空気を屋外に排出することができる換気システムにおいて、給気ダクトと排気ダクトとを接続するバイパスダクトを設けることによって、ダクト浄化運転を行うことができる。
【００３３】
請求項５にかかる発明では、給気ダクトを介して屋外の空気を屋内に供給する運転を行いつつ空調運転を行うのに先だって、ダクト浄化運転を行うことによって、換気運転を伴う空調運転の開始直後に、屋外からの空気とともに、空気調和装置を停止している際に給気ダクト内に滞留した空気中に含まれる臭い成分、カビや菌等が屋内に流入しないようにすることができる。
【００３４】
請求項６にかかる発明では、空気調和装置を停止している際に給気ダクト内に滞留した空気中に含まれる臭い成分、カビや菌等だけでなく、空気調和装置内に滞留した空気中に含まれる臭い成分、カビや菌等を屋外に排出することができる。
【００３５】
請求項７にかかる発明では、換気運転を伴う空調運転の際及びダクト浄化運転の際のいずれにおいても、給気ダクト内を流れる空気中に含まれる臭い成分、カビや菌等を効率よく分解除去することができる。
【００３６】
請求項８にかかる発明では、給気ダクトの分岐部から給気口までの間に、空気を浄化する光触媒を含むフィルタ及び第２浄化層の少なくとも一方が設けられているため、換気運転を伴う空調運転を行う際に、給気ダクトを介して屋外から導入された空気中に含まれる臭い成分、カビや菌等を分解除去することができる。
【００３７】
請求項９にかかる発明では、給気ダクトを介して屋外からの空気を屋内に供給するだけでなく、排気ダクトを介して屋内からの空気を屋外に排出する換気運転を行うことができる空気調和システムにおいて、給気ダクトと排気ダクトとを接続するバイパスダクトを設けることによって、ダクト浄化運転を行うことができる。
【００３８】
請求項１０にかかる発明では、ダクト浄化運転の際に、全熱交換装置を停止している際に給気ダクト内に滞留した空気を屋外に導出するだけでなく、全熱交換装置内に滞留した空気も屋外に導出することができるため、全熱交換装置を停止している際に給気ダクト内に滞留した空気中に含まれる臭い成分、カビや菌等だけでなく、全熱交換装置内に滞留した空気中に含まれる臭い成分、カビや菌等を屋外に排出することができる。
【発明を実施するための最良の形態】
【００３９】
以下、本発明の換気システム及び空気調和システムの実施形態について、図面に基づいて説明する。
【００４０】
（１）空気調和システムの構成
図１は本発明の一実施形態にかかる空気調和システム１の外観斜視図であり、図２は本発明の第１実施形態にかかる空気調和システムの概略構成図である。空気調和システム１は、建物Ｈの屋内の天井に配置されており、屋内の換気を行いつつ空調運転を行うためのシステムである。空気調和システム１は、主として、給気ダクト２と、排気ダクト３と、バイパスダクト４と、全熱交換装置５と、空気調和装置６と、切換機構７とから構成されている。
【００４１】
＜給気ダクト＞
給気ダクト２は、屋外から屋内に空気を供給するために屋外と屋内とを接続するダクトの集合体であり、主として、導入ダクト２１と、第１給気側接続ダクト２２と、第２給気側接続ダクト２３と、第３給気側接続ダクト２４と、給気側分岐ユニット２５と、複数（本実施形態では、３つ）の給気側分岐ダクト２６とから構成されている。
【００４２】
導入ダクト２１は、一端が屋外から空気を導入するために建物Ｈの壁面の開口に接続された空気入口２１ａとなっており、他端が全熱交換装置５の給気側入口に接続されている。そして、空気入口２１ａには、光触媒フィルタ２１ｂが設けられている。この光触媒フィルタ２１ｂには、光触媒アパタイトが担持されており、この光触媒アパタイトが担持された面が屋外側を向くように配置されている。また、光触媒アパタイトとしては、例えば、カルシウムヒドロキシアパタイトの一部のカルシウム原子をチタン原子に置換して光触媒機能を付加したアパタイトが使用することができる。
【００４３】
第１給気側接続ダクト２２は、一端が全熱交換装置５の給気側出口に接続されており、他端が空気調和装置６のダクト側入口に接続されている。そして、第１給気側接続ダクト２２には、その一部が曲げられた曲がり部２２ａが形成されている。この曲がり部２２ａ及びその近傍部分の内面には、光触媒アパタイト層２２ｂが担持されている。尚、この曲がり部２２ａは、例えば、透明な材料からなり、第１給気側接続ダクト２２の外部に配置された紫外線ランプ等からなる光源（図示せず）によって光が照射されるようになっている。
【００４４】
第２給気側接続ダクト２３は、一端が空気調和装置６の出口に接続されており、他端が切換機構７を構成する第１切換ダンパー７１（後述）の第１ポートに接続されている。
【００４５】
第３給気側接続ダクト２４は、一端が第１切換ダンパー７１の第２ポートに接続されており、他端が給気側分岐ユニット２５の第１ポートに接続されている。そして、第３給気側接続ダクト２４の他端には、光触媒フィルタ２４ａが設けられている。この光触媒フィルタ２４ａには、光触媒アパタイトが担持されており、この光触媒アパタイトが担持された面が給気側分岐ユニット２５の内側を向くように配置されている。
【００４６】
給気側分岐ユニット２５は、本実施形態において、略直方体形状の中空の箱状体であり、４つのポートを有している。これらの４つのポートのうち、第１ポートには上述のように第３給気側接続ダクト２４が接続されており、他の３つのポート（すなわち、第２、第３及び第４ポート）には３つの給気側分岐ダクト２６（後述）が接続されている。そして、給気側分岐ユニット２５の内面には、光触媒アパタイト層２５ｂが担持されている。また、給気側分岐ユニット２５の内部には、紫外線ランプ等からなる光源２５ｃが配置されており、光触媒アパタイト層２５ｂに光を照射できるようになっている。
【００４７】
３つの給気側分岐ダクト２６は、それぞれ、一端が給気側分岐ユニット２５の第２、第３及び第４ポートのいずれかに接続されており、他端が屋内の空気調和が行われる部屋等の開口に接続された給気口２６ａとなっている。
【００４８】
＜排気ダクト＞
屋内から屋外に空気を導出するために屋内と屋外とを接続するダクトの集合体であり、主として、複数（本実施形態では、３つ）の排気側分岐ダクト３１と、排気側分岐ユニット３２と、第１排気側接続ダクト３３と、第２排気側接続ダクト３４と、導出ダクト３５とから構成されている。
【００４９】
３つの排気側分岐ダクト３１は、それぞれ、一端が屋内の排気が行われる部屋等の開口に接続された排気口３１ａとなっており、他端が排気側分岐ユニット３２（後述）の４つのポートのうち、第２、第３及び第４ポートに接続されている。
【００５０】
排気側分岐ユニット３２は、本実施形態において、略直方体形状の中空の箱状体であり、４つのポートを有している。これらの４つのポートのうち、第１ポートには第１排気側接続ダクト３３が接続されており、他の３つのポート（すなわち、第２、第３及び第４ポート）には上述のように３つの排気側分岐ダクト３１が接続されている。
【００５１】
第１排気側接続ダクト３３は、一端が排気側分岐ユニット３２の第１ポートに接続されており、他端が切換機構７を構成する第２切換ダンパー７２（後述）の第１ポートに接続されている。
【００５２】
第２排気側接続ダクト３４は、一端が第２切換ダンパー７２の第２ポートに接続されており、他端が全熱交換装置５の排気側入口に接続されている。
【００５３】
導出ダクト３５は、一端が全熱交換装置５の排気側出口に接続されており、他端が屋外へ空気を導出するために建物Ｈの壁面の開口に接続された空気出口３５ａとなっている。
【００５４】
＜バイパスダクト＞
バイパスダクト４は、給気ダクト２と排気ダクト３とを接続するためのダクトである。バイパスダクト４は、一端が給気ダクト２から分岐するように接続されており、他端が排気ダクト３に合流するように接続されている。本実施形態において、バイパスダクト４の一端は、給気ダクト２を構成する第２給気側接続ダクト２３と第３給気側接続ダクト２４との間に設けられた第１切換ダンパー７１の第３ポートを、給気ダクト２とバイパスダクト４との分岐部として接続されている。また、バイパスダクト４の他端は、排気ダクト３を構成する第１排気側接続ダクト３３と第２排気側接続ダクト３４との間に設けられた第２切換ダンパー７２の第３ポートを、バイパスダクト４と排気ダクト３との合流部として接続されている。
【００５５】
＜全熱交換装置＞
全熱交換装置５は、給気ダクト２（具体的には、導入ダクト２１）を介して屋外から空気を吸入するとともに、排気ダクト３（具体的には、第２排気側接続ダクト３４）を介して屋内から空気を吸入し、屋外からの空気と屋内からの空気とを熱交換させた後、熱交換された屋外からの空気を給気ダクト２（具体的には、第１給気側接続ダクト２２等）を介して屋内に供給するとともに熱交換された屋内からの空気を排気ダクト３（具体的には、導出ダクト３５）を介して屋外に導出することが可能な装置である。全熱交換装置５は、主として、ケーシング５ａと、熱交換器５ｂと、給気用送風機５ｃと、排気用送風機５ｄとから構成されている。
【００５６】
ケーシング５ａは、導入ダクト２１が接続される給気側入口と、第１給気側接続ダクト２２が接続される給気用出口と、第２排気側接続ダクト３４が接続される排気用入口と、導出ダクト３５が接続される排気側出口とが形成されている。
【００５７】
給気用送風機５ｃは、導入ダクト２１を介して屋外から空気をケーシング５ａ内に吸入し、第１給気側接続ダクト２２に送出するための機器である。
【００５８】
排気用送風機５ｄは、第２排気側接続ダクト３４を介して屋内から空気をケーシング５ａ内に吸入し、導出ダクト３５に送出するための機器である。
【００５９】
熱交換器５ｂは、導入ダクト２１を介してケーシング５ａ内に吸入された屋外からの空気と、第２排気側接続ダクト３４を介してケーシング５ａ内に吸入された屋内から空気とを熱交換させることが可能な機器である。
【００６０】
＜空気調和装置＞
空気調和装置６は、給気ダクト２（具体的には、第１給気側接続ダクト２２と第２給気側接続ダクト２３との間）に設けられ、屋外からの空気（具体的には、導入ダクト２１を介して導入され、全熱交換装置５において熱交換された後の屋外からの空気）を吸入して冷却又は加熱することが可能な装置である。空気調和装置６は、本実施形態においては、天井ダクト型の空気調和装置であり、主として、ケーシング６ａと、熱交換器６ｂと、送風機６ｃとから構成されている。
【００６１】
ケーシング６ａは、第１給気側接続ダクト２２が接続される第１入口と第２給気側接続ダクト２３が接続される出口と、屋内から空気を吸入するための第２入口６ｄとが形成されている。
【００６２】
送風機６ｃは、ケーシング６ａに形成された第１入口から全熱交換装置５において熱交換された後の屋外からの空気をケーシング６ａ内に吸入し、第２給気側接続ダクト２３に送出するための機器である。また、送風機６ｃは、ケーシング６ａに形成された第２入口６ｄから屋内の空気をケーシング６ａ内に吸入し、屋外からの空気とともに、第２給気側接続ダクト２３に送出することができるようになっている。
【００６３】
熱交換器６ｂは、熱源ユニット（図示せず）から冷媒が供給されるようになっており、送風機６ｃによってケーシング６ａ内に吸入された空気と冷媒とを熱交換させることによって、冷却又は加熱することが可能な機器である。
【００６４】
このように、空気調和装置６は、本実施形態において、屋外からの空気とともに第２入口６ｄを介して吸入された室内の空気を冷却又は加熱して第２給気側接続ダクト２３に送出することが可能である。
【００６５】
＜切換機構＞
切換機構７は、給気ダクト２を介して屋外から屋内に空気を供給しつつ給気ダクト２からバイパスダクト４及び排出ダクト３への空気の流れを遮断する給気状態と、バイパスダクト４及び排出ダクト３を介して給気ダクト２から屋外に空気を導出しつつ給気ダクト２から屋内への空気の流れを遮断するダクト浄化状態との切換が可能な機構である。切換機構７は、主として、第１切換ダンパー７１と第２切換ダンパー７２とから構成されている。
【００６６】
第１切換ダンパー７１は、主として、給気ダクト２の第２給気側接続ダクト２３が接続される第１ポートと、給気ダクト２の第３給気側接続ダクト２４が接続される第２ポートと、バイパスダクト４の一端が接続される第３ポートと、給気状態において第１ポートと第２ポートとを連通させるとともに第１ポートから第３ポートへの空気の流れを遮断し（図２の破線で示される弁体７１ａ参照）、ダクト浄化状態において第１ポートと第３ポートとを連通させるとともに第１ポートから第２ポートへの空気の流れを遮断する（図２の実線で示される弁体７１ａ参照）ことが可能な弁体７１ａとから構成されている。
【００６７】
第２切換ダンパー７２は、主として、排気ダクト３の第１排気側接続ダクト３３が接続される第１ポートと、排気ダクト３の第２排気側接続ダクト３４が接続される第２ポートと、バイパスダクト４の他端が接続される第３ポートと、給気状態において第１ポートと第２ポートとを連通させるとともに第１ポートから第３ポートへの空気の流れを遮断し（図２の破線で示される弁体７２ａ参照）、ダクト浄化状態において第１ポートと第３ポートとを連通させるとともに第１ポートから第２ポートへの空気の流れを遮断する（図２の実線で示される弁体７２ａ参照）ことが可能な弁体７２ａとから構成されている。
【００６８】
ここで、給気状態とは、給気ダクト２を介して屋外の空気が屋内に供給される状態をいう。また、ダクト浄化状態とは、給気ダクト２を介して屋外の空気が屋内に供給されない状態にするとともに、給気ダクト２を流れる空気をバイパスダクト４及び排気ダクト３を介して屋外に導出する状態をいう。
【００６９】
（２）空気調和システムの動作
次に、空気調和システム１の動作について、図１及び図２を用いて説明する。
【００７０】
まず、空調運転の開始前は、全熱交換装置５及び空気調和装置６は停止されており、第１及び第２切換ダンパー７１、７２はダクト浄化状態（すなわち、第１及び第２切換ダンパー７１、７２の弁体７１ａ、７２ａが図２の実線で示される状態）となっている。
【００７１】
次に、第１及び第２切換ダンパー７１、７２を給気状態して運転するに先立って、第１及び第２切換ダンパー７１、７２をダクト浄化状態にしたまま、全熱交換装置５及び空気調和装置６の運転を開始する。すると、屋外の空気（図１の矢印ＯＡ参照）は、空気入口２１ａを通じて給気ダクト２に導入される。このとき、屋外の空気は、光触媒フィルタ２１ｂを通過することになるため、屋外の空気中に含まれる臭い成分、カビや菌等が分解除去される。ここで、光触媒フィルタ２１ｂは、光触媒アパタイトが担持された面が屋外側を向くように配置されているため、少なくとも昼間の運転においては、屋外の空気中に含まれる臭い成分、カビや菌等を分解除去している。
【００７２】
次に、光触媒フィルタ２１ｂを通過した屋外の空気は、全熱交換装置５の給気用送風機５ｃによってケーシング５ａ内に吸入され、熱交換器５ｂにおいて排気ダクト３側の空気（後述）と熱交換した後、第１給気側接続ダクト２２に送出される（図２の矢印Ｆ１及び矢印Ｆ２参照）。
【００７３】
次に、第１給気側接続ダクト２２に送出された屋外の空気は、曲がり部２２ａ内を通過する際に、曲がり部２２ａに設けられた光触媒アパタイト層２２ｂと接触することにより、臭い成分、カビや菌等が分解除去される（図２の矢印Ｆ２及び矢印Ｆ３参照）。ここで、光触媒アパタイト層２２ｂは、紫外線ランプ等からなる光源（図示せず）によって光が照射されている。
【００７４】
次に、第１給気側接続ダクト２２を通過した屋外の空気は、空気調和装置６の送風機６ｃによってケーシング６ａ内に吸入される。このとき、ケーシング６ａに形成された第２入口２ｂから屋内の空気（図１の矢印ＲＡ）が同時に吸入される。そして、屋内の空気を含む屋外の空気（図１の矢印ＯＳＡ参照）は、熱交換器６ｂにおいて冷媒と熱交換して冷却又は加熱された後、第２給気側接続ダクト２３に送出される（図２の矢印Ｆ３及び矢印Ｆ４参照）。尚、ここでは、熱源ユニット（図示せず）から熱交換器６ｂに冷媒を供給して空気と冷媒との熱交換を行っているが、冷媒を供給せずに、送風機６ｃの運転のみを行ってもよい。
【００７５】
次に、第２給気側接続ダクト２３に送出された空気は、第１切換ダンパー７１を介して、バイパスダクト４に流入し、バイパスダクト４を通過した後、第２切換ダンパー７２を介して、排気ダクト３の第２排気側接続ダクト３４に流入する（図２の矢印Ｆ４、矢印Ｆ５、Ｆ６及びＦ７参照）。
【００７６】
次に、第２排気側接続ダクト３４を通過した空気は、全熱交換装置５の排気用送風機５ｄによってケーシング５ａ内に吸入され、熱交換器５ｂにおいて給気ダクト２側の空気と熱交換した後、導出ダクト３５に送出され、空気出口３５ａを通じて屋外に導出される（図１の矢印ＥＡ、図２の矢印Ｆ７及び矢印Ｆ８参照）。
【００７７】
このように、切換機構７を給気状態して運転するに先立って、切換機構７をダクト浄化状態にしたまま、全熱交換装置５及び空気調和装置６の運転（以下、ダクト浄化運転とする）を行うことによって、空気調和システム１の停止中に、給気ダクト２、全熱交換装置５及び空気調和装置６内に滞留していた空気を屋外に導出することができるため、給気ダクト２、全熱交換装置５及び空気調和装置６内に滞留していた空気中に含まれる臭い成分、カビや菌等を排出することができる。
【００７８】
次に、切換機構７を給気状態（すなわち、第１及び第２切換ダンパー７１、７２の弁体７１ａ、７２ａが図２の破線で示される状態）にすると、空気調和装置６において加熱又は冷却された空気は、第１切換ダンパー７１を介して、第３給気側接続ダクト２４に送られ、第３給気側接続ダクト２４を通過した後、給気側分岐ユニット２５に流入する（図２の矢印Ｆ９参照）。このとき、第３給気側接続ダクト２４を通過するから給気側分岐ユニット２５に流入する空気は、光触媒フィルタ２４ａを通過することになるため、空気中に含まれる臭い成分、カビや菌等が分解除去される。ここで、光触媒フィルタ２４ａは、光触媒アパタイトが担持された面が給気側分岐ユニット２５の内側を向くように配置されているため、光源２５ｃによって光が照射されている。
【００７９】
次に、給気側分岐ユニット２５に流入した空気は、給気側分岐ユニット２５の内面に担持された光触媒アパタイト層２５ｂによって、さらに空気中に含まれる臭い成分、カビや菌等が分解除去される。ここで、光触媒アパタイト層２５ｂは、光源２５ｃによって光が照射されている。その後、空気は、給気側分岐ユニット２５から３つの給気側分岐ダクト２６に分岐して流入し、それぞれの給気口２６ａから屋内に供給される（図１の矢印ＳＡ、図２の矢印Ｆ１０参照）。
【００８０】
一方、切換機構７を給気状態（すなわち、第１及び第２切換ダンパー７１、７２の弁体７１ａ、７２ａが図２の破線で示される状態）にすると、屋内の排気口３１ａを通じて屋内の空気が３つの排気側分岐ダクト３１に排出される（図１の矢印ＥＲＡ及び図２の矢印Ｆ１１参照）。
【００８１】
次に、３つの排気側分岐ダクト３１に排出された屋内の空気は、排気側分岐ユニット３２に流入して合流し、第１排気側接続ダクト３３及び第２切換ダンパー７２を介して第２排気側接続ダクト３４に流入する（図２の矢印Ｆ１２及び矢印Ｆ７参照）。
【００８２】
次に、第２排気側接続ダクト３４を通過した空気は、全熱交換装置５の排気用送風機５ｄによってケーシング５ａ内に吸入され、熱交換器５ｂにおいて給気ダクト２側の空気と熱交換した後、導出ダクト３５に送出され、空気出口３５ａを通じて屋外に導出される（図１の矢印ＥＡ、図２の矢印Ｆ７及び矢印Ｆ８参照）。
【００８３】
このように、給気ダクト２を介して屋外の空気を屋内に供給するとともに、排気ダクト３を介して屋内の空気を屋外に排出する換気運転を行いつつ、空調運転を行うことができる。
【００８４】
（３）空気調和システムの特徴
本実施形態の空気調和システム１には、以下のような特徴がある。
【００８５】
（Ａ）
本実施形態の空気調和システム１では、以下のような手順により、換気運転を伴う空調運転を行うことができる。まず、切換機構７をダクト浄化状態にして、全熱交換装置５及び空気調和装置６を運転すると、屋外から給気ダクト２に導入された空気は、屋内には供給されずにバイパスダクト４及び排気ダクト３（以下、浄化用ダクト８とする）を介して屋外に導出される（以下、ダクト浄化運転とする）。ここで、屋外から給気ダクト２内に導入される空気とともに、全熱交換装置５及び空気調和装置６を停止している際に給気ダクト２内に滞留した空気が屋外に導出される。次に、切換機構７を給気状態にすると、屋外から給気ダクト２に導入された空気は、給気ダクト２から浄化用ダクト８への空気の流れが遮断されて、全熱交換装置５及び空気調和装置６において冷却又は加熱された後、給気ダクト２を介して屋内に供給される。ここで、全熱交換装置５及び空気調和装置６を停止している際に給気ダクト２内に滞留した空気は、既に屋外に導出されているため、屋内には、切換機構７を給気状態に切換えた後に屋外から給気ダクトに導入された空気のみが供給される。
【００８６】
このように、本実施形態の空気調和システム１では、給気ダクト２を介して屋外の空気を屋内に供給する換気運転を行いつつ空調運転を行うのに先だって、ダクト浄化運転を行うことによって、全熱交換装置５及び空気調和装置６を停止している際に給気ダクト２内に滞留した空気中に含まれる臭い成分、カビや菌等を給気ダクト２内から屋外に排出することができるため、換気運転を伴う空調運転の開始直後に、屋外からの空気とともに、全熱交換装置５及び空気調和装置６を停止している際に給気ダクト２内に滞留した空気中に含まれる臭い成分、カビや菌等が屋内に流入しないようにすることができる。
【００８７】
（Ｂ）
本実施形態の空気調和システム１では、全熱交換装置５及び空気調和装置６が給気ダクト２の空気入口２１ａから分岐部（具体的には、第１切換ダンパー７１の第１ポート）までの間に設けられているため、ダクト浄化運転の際に、全熱交換装置５及び空気調和装置６を停止している際に給気ダクト２内に滞留した空気を屋外に導出するだけでなく、全熱交換装置５及び空気調和装置６内に滞留した空気も屋外に導出することができる。これにより、全熱交換装置５及び空気調和装置６を停止している際に給気ダクト２内に滞留した空気中に含まれる臭い成分、カビや菌等だけでなく、全熱交換装置５及び空気調和装置６内に滞留した空気中に含まれる臭い成分、カビや菌等を屋外に排出することができる。
【００８８】
（Ｃ）
本実施形態の空気調和システム１では、全熱交換装置５及び空気調和装置６が給気ダクト２の空気入口２１ａから分岐部（具体的には、第１切換ダンパー７１の第１ポート）までの間に設けられているため、ダクト浄化運転の際に、全熱交換装置５及び空気調和装置６を停止している際に給気ダクト２内に滞留した空気を屋外に導出するだけでなく、全熱交換装置５及び空気調和装置６内に滞留した空気も屋外に導出することができる。これにより、全熱交換装置５及び空気調和装置６を停止している際に給気ダクト２内に滞留した空気中に含まれる臭い成分、カビや菌等だけでなく、全熱交換装置５及び空気調和装置６内に滞留した空気中に含まれる臭い成分、カビや菌等を屋外に排出することができる。
【００８９】
（Ｄ）
本実施形態の空気調和システム１では、給気ダクト２に光触媒アパタイト層２２ｂ（空気を浄化する光触媒を含む第１浄化層）が設けられているため、空調運転を行う際に、給気ダクト２を介して屋外から導入された空気中に含まれる臭い成分、カビや菌等を分解除去して、臭い成分、カビや菌等が屋内に流入しないようにすることができる。また、光触媒アパタイト層２２ｂは、給気ダクト２の空気入口２１ａから分岐部（具体的には、第１切換ダンパー７１の第１ポート）までの間に設けられているため、ダクト浄化運転の際においても、全熱交換装置５及び空気調和装置６を停止している際に給気ダクト内に滞留した空気中に含まれる臭い成分、カビや菌等を分解除去するのに寄与できる。しかも、光触媒アパタイト層２２ｂは、空気流とダクトの壁面との接触頻度が高い給気ダクト２の曲がり部２２ａ及びその近傍に設けられているため、空調運転の際及びダクト浄化運転の際のいずれにおいても、給気ダクト２内を流れる空気中に含まれる臭い成分、カビや菌等を効率よく分解除去することができる。
【００９０】
（Ｅ）
本実施形態の空気調和システム１では、給気ダクト２の分岐部（具体的には、第１切換ダンパー７１の第１ポート）から給気口２６ａまでの間に、光触媒フィルタ２４ａ（空気を浄化する光触媒を含むフィルタ）及び光触媒アパタイト層２５ｂ（第２浄化層）が設けられているため、換気運転を伴う空調運転を行う際に、給気ダクト２を介して屋外から導入された空気中に含まれる臭い成分、カビや菌等を分解除去して、臭い成分、カビや菌等が屋内に流入しないようにすることができる。尚、本実施形態においては、光触媒フィルタ２４ａ及び光触媒アパタイト層２５ｂの両方を設けているが、いずれか一方のみを設けるようにしてもよい。
【００９１】
（４）変形例１
前記実施形態の空気調和システム１は、空気調和装置６が給気ダクト２の空気入口２１ａから分岐部（具体的には、第１切換ダンパー７１の第１ポート）までの間に設けられているが、図３に示される本変形例の空気調和システム１０１のように、給気ダクト２の分岐部の下流側に接続された第３給気側接続ダクト２４に設けられていてもよい。
【００９２】
この場合、ダクト浄化運転の際に、全熱交換装置５のみを運転することになるが、全熱交換装置５を停止している際に給気ダクト２内に滞留した空気中に含まれる臭い成分、カビや菌等を給気ダクト２内から屋外に排出することができるため、換気運転を伴う空調運転の開始直後に、屋外からの空気とともに、全熱交換装置５を停止している際に給気ダクト２内に滞留した空気中に含まれる臭い成分、カビや菌等が屋内に流入しないようにすることができる。
【００９３】
また、このような空気調和システム１０１において、図４に示されるように第１切換ダンパー７１を省略したり、図５に示されるように第１及び第２切換ダンパー７１、７２の両方を省略してもよい。この場合であっても、ダクト浄化運転の際には、屋外から給気ダクト２に導入された空気は、空気調和装置６の送風機６ｃが運転されないため、第３給気側接続ダクト２４側には流れず、バイパスダクト４及び排気ダクト３を介して屋外に導出されることになる。一方、換気運転を伴う空調運転を行う際には、空気調和装置６の送風機６ｃを運転することによって、屋外から給気ダクト２に導入された空気が第３給気側接続ダクト２４側に流れて、屋内に供給されることになる。つまり、この場合には、空気調和装置６の送風機６ｃが第１及び第２切換ダンパー７１、７２の代わりに、切換機構７として機能しているといえる。
【００９４】
（５）変形例２
前記実施形態の空気調和システム１では、空気調和装置６が給気ダクト２の空気入口２１ａから分岐部（具体的には、第１切換ダンパー７１の第１ポート）までの間に設けられており、変形例１の空気調和システム１０１では、第３給気側接続ダクト２４に設けられているが、図６に示される本変形例の空気調和システム２０１のように、空気調和装置６が３つの給気口２６ａに接続されていてもよい。
【００９５】
この場合、変形例１と同様、ダクト浄化運転の際に、全熱交換装置５のみを運転することになるが、全熱交換装置５を停止している際に給気ダクト２内に滞留した空気中に含まれる臭い成分、カビや菌等を給気ダクト２内から屋外に排出することができるため、換気運転を伴う空調運転の開始直後に、屋外からの空気とともに、全熱交換装置５を停止している際に給気ダクト２内に滞留した空気中に含まれる臭い成分、カビや菌等が屋内に流入しないようにすることができる。
【００９６】
尚、本変形例の空気調和システム２０１においても、図４及び図５に示される変形例１の空気調和システム１０１と同様に、第１切換ダンパー７１を省略したり、第１及び第２切換ダンパー７１、７２の両方を省略してもよい。この場合においても、空気調和装置２０６の送風機が第１及び第２切換ダンパー７１、７２の代わりに、切換機構７として機能することになる。
【００９７】
（６）変形例３
前記実施形態の空気調和システム１では、屋内の空気を屋外に排出するための排気ダクト３と、排気ダクト３から屋外に導出される屋内の空気の顕熱を利用するための全熱交換装置５を備えているが、図７に示される本変形例の空気調和システム３０１のように、排気ダクト３及び全熱交換装置５を有しない給気専用の空気調和システムであってもよい。
【００９８】
この場合、給気ダクト２の空気入口２１ａから分岐部（具体的には、第１切換ダンパー７１の第１ポート）と屋外とを接続する浄化用ダクト８が第１切換ダンパー７１のみからなる切換機構７を介して接続されることになるが、空気調和装置６を停止している際に給気ダクト２内に滞留した空気中に含まれる臭い成分、カビや菌等を給気ダクト２内から屋外に排出することができるため、換気運転を伴う空調運転の開始直後に、屋外からの空気とともに、空気調和装置６を停止している際に給気ダクト２内に滞留した空気中に含まれる臭い成分、カビや菌等が屋内に流入しないようにすることができる。
【００９９】
（７）変形例４
前記実施形態の空気調和システム１では、給気ダクト２に空気調和装置６が設けられているが、図８に示される本変形例の換気システム４０１のように、この空気調和装置６を有さず、排気ダクト３から屋外に導出される屋内の空気の顕熱を利用するための全熱交換装置５のみを有する換気システムであってもよい。
【０１００】
この場合、変形例１の空気調和装置１０１と同様、ダクト浄化運転の際に、全熱交換装置５のみを運転することになるが、全熱交換装置５を停止している際に給気ダクト２内に滞留した空気中に含まれる臭い成分、カビや菌等を給気ダクト２内から屋外に排出することができるため、換気運転の開始直後に、屋外からの空気とともに、全熱交換装置５を停止している際に給気ダクト２内に滞留した空気中に含まれる臭い成分、カビや菌等が屋内に流入しないようにすることができる。
【０１０１】
（８）変形例５
変形例４の換気システム４０１では、全熱交換装置５及び空気調和装置６を有しているが、図９に示される本変形例の換気システム５０１のように、全熱交換装置５を有しない換気システムであってもよい。
【０１０２】
この場合、給気ダクト２の空気入口２１ａから分岐部（具体的には、第１切換ダンパー７１の第１ポート）までの間に屋外から空気を導入するための送風機４０６を設けることになるが、送風機４０６を停止している際に給気ダクト２内に滞留した空気中に含まれる臭い成分、カビや菌等を給気ダクト２内から屋外に排出することができるため、換気運転の開始直後に、屋外からの空気とともに、送風機４０６を停止している際に給気ダクト２内に滞留した空気中に含まれる臭い成分、カビや菌等が屋内に流入しないようにすることができる。
【０１０３】
（９）他の実施形態
以上、本発明の実施形態について図面に基づいて説明したが、具体的な構成は、これらの実施形態に限られるものではなく、発明の要旨を逸脱しない範囲で変更可能である。
【０１０４】
（Ａ）
給気口や排気口の個数、分岐ユニットの有無等の具体的な構成については、前記実施形態及びその変形例に限定されない。
【０１０５】
（Ｂ）
切換機構の具体的な構成は、前記実施形態及びその変形例のような３方弁に限定されず、例えば、２方弁を組み合わせて使用した構成であってもよい。
【０１０６】
（Ｃ）
前記実施形態及びそのその変形例においては、光触媒として光触媒アパタイトを採用したが、これに代えて、二酸化チタン（アナターゼ型、ルチル型およびブルッカイト型など）、酸化銅、酸化亜鉛、酸化タングステン、酸化鉄、硫化カドミウム、硫化亜鉛、チタン酸ストロンチウム、フラーレン（イオン注入されたものも含まれる）、ポリパラフェニレン、ポリアニリン、ポリピリジン、ポリピロール、ポリチオフェン、ポルフィリン錯体（中心金属：亜鉛、アルミニウムなど）などを採用してもよい。また、これらの光触媒と、ゼオライトや活性炭などの吸着剤とを混合した吸着剤混合型光触媒を採用してもよい。
【産業上の利用可能性】
【０１０７】
本発明を利用すれば、屋外から屋内に空気を供給することが可能な換気システム及び屋外から屋内に空気を供給する機能を有する空気調和システムにおいて、換気運転又は空調運転の開始直後に、屋外からの空気とともに給気ダクト内に滞留した空気中に含まれる臭い成分、カビや菌等が屋内に流入しないようにすることができる。
【図面の簡単な説明】
【０１０８】
【図１】本発明の一実施形態にかかる空気調和システムの外観斜視図である。
【図２】本発明の一実施形態にかかる空気調和システムの概略構成図である。
【図３】変形例１にかかる空気調和システムの概略構成図である。
【図４】変形例１にかかる空気調和システムの概略構成図である。
【図５】変形例１にかかる空気調和システムの概略構成図である。
【図６】変形例２にかかる空気調和システムの概略構成図である。
【図７】変形例３にかかる空気調和システムの概略構成図である。
【図８】変形例４にかかる空気調和システムの概略構成図である。
【図９】変形例５にかかる空気調和システムの概略構成図である。
【符号の説明】
【０１０９】
１、１０１、２０１、３０１、４０１、５０１  空気調和システム、換気システム
２  給気ダクト
３  排気ダクト
４  バイパスダクト
５  全熱交換装置
５ｃ、６ｃ、５０６ｃ  送風機
６、２０６  空気調和装置
８  浄化用ダクト
２１ａ  空気入口
２２ａ  曲がり部
２２ｂ  光触媒アパタイト層（第１浄化層）
２４ａ  光触媒フィルタ（フィルタ）
２５ｂ  光触媒アパタイト層（第２浄化層）
２６ａ  給気口
３１ａ  排気口
３５ａ  空気出口
【図１】
0004617662.tif 000002
【図２】
0004617662.tif 000003
【図３】
0004617662.tif 000004
【図４】
0004617662.tif 000005
【図５】
0004617662.tif 000006
【図６】
0004617662.tif 000007
【図７】
0004617662.tif 000008
【図８】
0004617662.tif 000009
【図９】
0004617662.tif 000010